【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ポータブル電子デバイスの所望の性能モードのユーザ入力を受け取ることと、
前記ポータブル電子デバイスを取り囲む環境における環境温度を判定することと、
前記環境温度と前記所望の性能モードとに基づいてデバイス温度軽減しきい値をセットすることと、
ポータブル電子デバイス温度が前記デバイス温度軽減しきい値を上回ったことを判定することと、
前記ポータブル電子デバイス温度が前記デバイス温度軽減しきい値を上回ることに基づきポータブル電子デバイス動作を調節することとを含む、方法。
【請求項２】
ポータブル電子デバイス動作を調節することは、前記ポータブル電子デバイスの動作周波数を低減することを含む、請求項１に記載の方法。
【請求項３】
前記ユーザ入力は、
前記環境温度と第１の性能モードとに基づいて第１のデバイス温度軽減しきい値をセットする第１の性能モードと、
前記環境温度と第２の性能モードとに基づいて、前記第１のデバイス温度軽減しきい値より高い第２のデバイス温度軽減しきい値をセットする第２の性能モードと、
を含む性能モードユーザ入力オプションから選択される、請求項１または２に記載の方法。
【請求項４】
前記性能モードユーザ入力オプションは、前記ポータブル電子デバイスの所望のデバイス表面温度に基づいて、性能モード温度軽減限界オプションを含む、請求項３に記載の方法。
【請求項５】
前記環境温度を判定することは、前記環境温度が環境温度値の範囲外であると判定することを含み、
前記環境温度が前記環境温度値の範囲外である場合、デバイス温度軽減しきい値をセットすることは前記デバイス温度軽減しきい値を低減することを含む、請求項１から４のいずれか１項に記載の方法。
【請求項６】
前記ポータブル電子デバイスの位置を判定することをさらに含み、
環境温度を判定することは、前記ポータブル電子デバイスの判定された前記位置に基づいて、前記ポータブル電子デバイスを取り囲む環境における前記環境温度を判定することを含む、請求項１から５のいずれか１項に記載の方法。
【請求項７】
前記ポータブル電子デバイスを取り囲む環境における環境温度を判定することは、前記ポータブル電子デバイス上の少なくとも１つのセンサを使用して環境温度を判定することを含む、請求項１から６のいずれか１項に記載の方法。
【請求項８】
前記ポータブル電子デバイスが屋内にあると判定することをさらに含み、
前記ポータブル電子デバイスを取り囲む環境において環境温度を判定することは、前記ポータブル電子デバイスが屋内にある場合には、前記環境温度が屋内環境温度であることを判定することを含む、請求項１から７のいずれか１項に記載の方法。
【請求項９】
前記ポータブル電子デバイス上の少なくとも１つのセンサを使用して環境温度を感知することをさらに含み、
環境温度を判定することは、前記ポータブル電子デバイスが屋内にあるが、前記環境温度が予想される屋内環境温度とは異なることを前記センサが示す場合には、感知された前記環境温度に基づいて前記環境温度を判定することを含む、請求項８に記載の方法。
【請求項１０】
ポータブル電子デバイスの所望の性能モードのユーザ入力を受け取ることは、高いデバイス表面温度で前記ポータブル電子デバイスを動作するために快適性モードを置き換えるユーザ入力を受け取ることを含む、請求項１から９のいずれか１項に記載の方法。
【請求項１１】
ポータブル電子デバイスであって、
前記ポータブル電子デバイスの所望の性能モードのユーザ入力を受け取るように構成されるユーザ入力インターフェイスと、
前記ユーザ入力インターフェイスに結合されるコントローラとを含み、前記コントローラは、前記ポータブル電子デバイスを取り囲む環境における環境温度を判定するように構成され、前記環境温度と前記所望の性能モードとに基づいてデバイス温度軽減しきい値をセットするように構成され、ポータブル電子デバイス温度が前記デバイス温度軽減しきい値を上回ったことを判定するように構成され、前記ポータブル電子デバイス温度が前記デバイス温度軽減しきい値を上回ることに基づきポータブル電子デバイス動作を調節するように構成される、ポータブル電子デバイス。
【請求項１２】
前記コントローラは、前記ポータブル電子デバイスの動作周波数を低減することによりポータブル電子デバイス動作を調節するように構成される、請求項１１に記載のポータブル電子デバイス。
【請求項１３】
前記ユーザ入力は、
前記環境温度と第１の性能モードとに基づいて第１のデバイス温度軽減しきい値をセットする第１の性能モードと、
前記環境温度と第２の性能モードとに基づいて、前記第１のデバイス温度軽減しきい値より高い第２のデバイス温度軽減しきい値をセットする第２の性能モードと
を含む性能モードユーザ入力オプションから選択される、請求項１１または１２に記載のポータブル電子デバイス。
【請求項１４】
前記性能モードユーザ入力オプションは、前記ポータブル電子デバイスの所望のデバイス表面温度に基づく性能モード温度オプションを含む、請求項１３に記載のポータブル電子デバイス。
【請求項１５】
前記コントローラは、前記環境温度が環境温度値の範囲外にあると判定するように構成され、
前記コントローラは、前記環境温度が前記環境温度値の範囲外にある場合、前記デバイス温度軽減しきい値を調節することによって、デバイス温度軽減しきい値をセットするように構成される、請求項１１から１４のいずれか１項に記載のポータブル電子デバイス。
【請求項１６】
前記コントローラは、前記ポータブル電子デバイスの位置を判定するように構成され、かつ、前記ポータブル電子デバイスの判定された前記位置に基づいて、前記ポータブル電子デバイスを取り囲む環境における環境温度を判定するように構成される、請求項１１から１５のいずれか１項に記載のポータブル電子デバイス。
【請求項１７】
少なくとも１つのセンサをさらに含み、
前記コントローラは、前記少なくとも１つのセンサを使用して、前記ポータブル電子デバイスを取り囲む環境における前記環境温度を判定するように構成される、請求項１１から１６のいずれか１項に記載のポータブル電子デバイス。
【請求項１８】
前記コントローラは、前記ポータブル電子デバイスが屋内にあるということを判定するように構成され、
前記コントローラは、前記ポータブル電子デバイスが屋内にある場合、前記ポータブル電子デバイスを取り囲む環境における前記環境温度が屋内環境温度であることを判定するように構成される、請求項１１から１７のいずれか１項に記載のポータブル電子デバイス。
【請求項１９】
前記ユーザ入力は、高いデバイス表面温度にて前記ポータブル電子デバイスを動作するよう快適性モードを置き換えるユーザ入力を受け取ることによってユーザ入力を受け取るように構成される、請求項１１から１８のいずれか１項に記載のポータブル電子デバイス。
【請求項２０】
ポータブル電子デバイスの動作の方法であって、
ポータブル電子デバイスの所望の性能モードのユーザ入力を受け取ることを含み、前記所望の性能モードは、前記ポータブル電子デバイスの所望の処理パワーを示し、前記方法はさらに、
前記ポータブル電子デバイスを取り囲む環境における環境温度が環境温度値の範囲外であることを判定することと、
前記環境温度が環境温度値の範囲外であることと、前記所望の性能モードとに基づいてデバイス表面温度軽減しきい値をセットすることと、
ポータブル電子デバイス表面温度が前記デバイス表面温度軽減しきい値より大きいことを判定することと、
前記ポータブル電子デバイス表面温度が前記デバイス表面温度軽減しきい値より大きいことに基づき、前記ポータブル電子デバイス表面温度を低減するようポータブル電子デバイス動作を調節することとを含む、方法。
【請求項２１】
請求項１から請求項１０および請求項２０のいずれか１項に記載の方法をコンピュータに実行させるためのプログラム。